(57)【要約】【課題】  受光部材の表面積を極端に大きくすることなく、リモコン装置からの受光範囲を広げた電子機器の受光部材を提供する。【解決手段】  光を透過させるとともに、光が入光する入光面１１と、凹型形状であり光が出光する出光面１２と、を有することを特徴とする電子機器２０の受光部材１０により、上記課題を解決する。入光面１１は、平坦形状、凹型形状または凸型形状とする。凹型形状または凸型形状としたときの入光面１１の曲率半径は、出光面１２の曲率半径よりもごく大きくすることにより、ほぼ平坦な形状とする。【選択図】  図４
2005217324.tif 000002
【特許請求の範囲】
【請求項１】
光を透過させるとともに、光が入光する入光面と、凹型形状であり光が出光する出光面と、を有し、
前記入光面の曲率半径は、前記出光面の曲率半径よりも大きいことを特徴とする電子機器の受光部材。
【請求項２】
前記受光部材は、射出成形により製造されることを特徴とする請求項１に記載の電子機器の受光部材。
【発明の詳細な説明】
【技術分野】
【０００１】
本願は、電子機器のリモコン装置から赤外線等を受光するための受光部材に関する。
【背景技術】
【０００２】
従来、テレビ受像装置やＣＤ（Compact Disc）記録再生装置、ＤＶＤ（Digital Versatile Disc）記録再生装置等の電子機器に、当該電子機器の遠隔制御操作が可能であるリモートコントローラ装置（以下、リモコン装置という。）が付属したものが知られている。
【０００３】
具体的には、このリモコン装置からは制御信号である赤外線等の光（電磁波）が発せられ、この光を電子機器本体の表面に有する受光部材が受光する。この受光された信号を電子機器内部に設けられる赤外線受光素子等の検知部材が検知することにより、この信号に従って当該電子機器が制御される。また、この受光部材は、光を透過させる性質を有することから、受光用レンズともいわれる。
【０００４】
例えば、図１に断面概略図を示すように、電子機器５５の表面に有する従来の受光部材５０は、リモコン装置５６からの光を受光する電子機器５５の表側の面５１と、この光が出光する電子機器５５の内部側の面５２と、を有する。そして、表側の面５１と内部側の面５２とは各々平坦な形状であり、略平行であるため、各面５１、５２の間には均一の肉厚を有している。
【発明の開示】
【発明が解決しようとする課題】
【０００５】
しかしながら、この従来の受光部材５０を用いた場合には、リモコン装置５６からの光を受光できる角度を示す受光角θ２が、例えば３０°程度と制限されるため、検知部材５７がより広い角度（範囲）からリモコン装置５６からの光を受光するためには、受光部材５０の表側面５１の表面積を大きくする必要があった。
【０００６】
一方、受光部材５０の表面積を大きくすると、その電子機器５５のデザインの自由度が低下するため、受光部材５０の表面積を極端に大きくせずに、リモコン装置５６からの光を受光する範囲（例えば、受光角θ２）を広くしたいという要望があった。
【０００７】
そこで、本願は、受光部材の表面積を極端に大きくすることなく、受光範囲を広げた電子機器の受光部材を提供することを課題の一例とする。
【課題を解決するための手段】
【０００８】
上記の課題を解決するために、請求項１に記載の発明は、光を透過させるとともに、光が入光する入光面と、凹型形状であり光が出光する出光面と、を有し、
前記入光面の曲率半径は、前記出光面の曲率半径よりも大きいことを特徴とする電子機器の受光部材である。
【発明を実施するための最良の形態】
【０００９】
以下に、図２乃至図６を参照して、本実施形態の受光部材およびこの受光部材を用いた電子機器について具体的に説明する。なお、図２は、本実施形態の受光部材の上面図であり、図３は、図２の上面図のＡ−Ａ断面図である。また、図４は、本実施形態の受光部材を備えた電子機器の一部を示す断面概略図であり、図５（ａ）は、本実施形態の受光部材を備えた電子機器の一例を示す正面図であり、図５（ｂ）は、複数の受光部材を備えた電子機器の一部を示す図であり、図６は、本実施形態の電子機器の構成例を示すブロック図である。
【００１０】
本実施形態の受光部材１０は、図２の上面図および図３（ａ）の断面図に示すように、リモコン装置２１からの赤外線等が入光する平坦な形状である平坦面１１と、平坦面１１から入光する赤外線等が出光する凹型の形状である凹型面１２と、平坦面１１を底面としてその周囲から凹型面１２側に向かって延びる筒型の形状である筒型面１３と、筒型面１３の平坦面１１と逆側の端から平坦面１１および凹型面１２を有する側と逆側に平坦面１１と平行に延びる環状の環状面１４と、からなる。
【００１１】
図４に示すように、受光部材１０の電子機器２０の内側となる面１２が凹型形状となっていることにより、リモコン装置２１から発光する制御信号である赤外線等の光を受光する受光角θ１を、従来よりも大きくすることができる。すなわち、リモコン装置２１から発光する光は、平坦形状である面１１で受光されて直進し、凹型形状である面１２から屈折して受光素子２２が位置する方向に向かって集光するため、従来よりも大きな受光角θ１が確保できる。
【００１２】
なお、リモコン装置２１から発光する光が受光部材１０に入光する際にも、空気等の媒質と受光部材の媒質とが異なり、両媒質の屈折率の関係上、実際には屈折する。しかしながら、図４および従来技術を説明する図１においては、平坦な面を通過する光の屈折を省略して記載している。
【００１３】
平坦面１１および凹型面１２の周囲の形状は、通常、図２および図５に示すように円形であるが、これに限定されず、例えば、長円、楕円、四角形等の形状であってもよい。平坦面１１が円形である場合、図２のＲで表される平坦面１１の直径は、特に限定されないが、例えば、８ｍｍ程度とする。
【００１４】
このように、平坦面１１の大きさ、つまり、受光部材１０が電子機器２０に備えられた場合に、リモコン装置２１の赤外線等を受光する面１１の面積は、従来と同様の面積とすることができ、受光する面１１の面積を極端に大きくしなくてよい。そのため、この受光部材１０が備えられた電子機器２０のデザインの自由度を低下させることなく、比較的自由に電子機器２０のデザインを設計することが可能となり、意匠性を向上させることができる。
【００１５】
凹型面１２は、凹型形状であれば、球面となっていても、非球面となっていてもよい。凹型面が球面である場合には、凹型面１２の曲率半径は、特に限定されないが、リモコン装置２１からの入射光を集光しやすくするため、例えば、６ｍｍ程度とする。また、凹型面の曲率半径を、平坦面１１の直径に対して、例えば、１〜２倍程度とした曲面とすることが好ましい。また、凹型面１２を滑らかな曲面とすることにより、電子機器２０のデザイン性が向上する。
【００１６】
図３のＴ１、Ｔ２で表される平坦面１１と凹型面１２との間の厚みは、凹型面１２を具体的にどのような形状の面とするかにより異なるが、最も薄い部分Ｔ１で１ｍｍ程度、最も厚い部分Ｔ２で２ｍｍ程度、とすることが好ましい。また、平坦面１１と凹型面１２との間の厚みは、最も薄い部分の厚みＴ１と最も厚い部分の厚みＴ２との間で１ｍｍの差があることが好ましい。
【００１７】
また、図３のＴ３で表される筒状面１３の厚みや図３のＨで表される筒状面１３の高さは、特に限定されないが、通常、厚みＴ３が１ｍｍ程度、高さＨが３．５〜４ｍｍ程度、とする。
【００１８】
なお、平坦面１１の大きさ（円形である場合には直径Ｒ）と、筒状面１３の厚みＴ３に応じて、凹型面１２の大きさ（円形である場合には直径）が決定される。
【００１９】
図２および図３のＷで表される環状面１４の幅は、特に限定されないが、電子機器２０に取り付けやすくするため、例えば、１．５ｍｍ程度とする。環状面１４は、電子機器２０に取り付ける等のために有するものであり、例えば、環状面１４にさらに突起等が付いており、電子機器に取り付けやすくなっていてもよい。
【００２０】
また、以上の実施形態においては、図３（ａ）を参照し、受光部材１０の入光面を平坦形状として説明したが、図３（ｂ）に示すように、受光部材１０ａの入光面が凹型形状の面１１ａであってもよいし、図３（ｃ）に示すように、受光部材１０ｂの入光面が凸型形状の面１１ｂであってもよい。
【００２１】
このように、受光部材の入光面が凹型形状または凸型形状の場合には、入光面１１ａ、１１ｂの曲率半径を、出光面１２の曲率半径よりも大きく設定する。入光面と出光面との曲率半径の関係は、通常、入光面の曲率半径＞＞出光面の曲率半径、とし、他は特に限定されないが、例えば、上述の出光面１２の曲率半径を６ｍｍ程度としたものに対して入光面の曲率半径を５０ｍｍ程度とすることができる。このように、受光部材の入光面は、ほぼ平坦な形状である。このとき、各受光部材１０ａ、１０ｂにおける入光面１１ａ、１１ｂ以外の構成は、上述の受光部材１０と同様である。なお、上述の平坦形状の入光面１１も、曲率半径が無限大と考えられるため、入光面１１の曲率半径が、出光面１２の曲率半径よりも大きいものに含まれる。
【００２２】
受光部材１０の電子機器２０内部側の面を凹型面１２とすることにより、従来３０°程度であった受光角θ２を、例えば、５０°程度の受光角θ１とすることができ、受光角を広げることができる。
【００２３】
受光部材１０の材質は、光を透過できるものであれば特に限定されず、例えば、ＡＢＳ（アクリロニトリル−ブタジエン−スチレン）樹脂、ポリプロピレン、ポリエチレン、ナイロン、ポリスチレン、メタクリル樹脂、ポリカーボネート等のプラスチック材料が用いられる。また、受光部材１０の色は、特に限定されず、電子機器２０の意匠性等を考慮して適宜選択することができるが、上述のように、受光部材１０は光を透過できる必要があるため、無色透明、または有色透明であることが好ましい。なお、受光部材１０を着色する場合には、染料、顔料等が適宜用いられる。
【００２４】
受光部材１０は、平坦面１１と凹型面１２とが対向した形状であればよく、その他の形状は、本実施形態の構成に限定されるものではない。すなわち、本実施形態の受光部材１０の筒状面１３および環状面１４を有しない形状や、筒状面１３を有し環状面１４を有しない形状でもよく、他の手段により受光部材が電子機器に設けられるようになっていればよい。
【００２５】
受光部材１０は、上述のプラスチック樹脂材料で形成される場合、受光部材１０が上述の形状を有するように金型を作製し、この金型を用いて射出成形することにより、製造される。この射出成形は、成型材料であるプラスチック樹脂材料をシリンダー内で加熱して溶融させ、閉じた金型の中に高圧注入（射出）し、保圧して冷却することにより固化させて成型品を作製する方法である。
【００２６】
このように、受光部材１０の製造方法は、従来の受光部材５０の製造方法と同様であり、従来の受光部材５０から射出成形用の金型を変更すればよい。そのため、特殊な機材を必要とせず、簡便に受光部材１０を製造することができる。
【００２７】
また、リモコン装置２１の種類は特に限定されず、通常、電子機器に付属して用いられているリモコン装置が用いられる。また、リモコン装置２１から発せられる光は、通常赤外線であるが、リモコン装置２１と検知部材２２との組合せにより、電子機器２０の制御が可能であれば、その他の電磁波等であってもよく、特に限定されない。
【００２８】
このような受光部材１０が備えられる電子機器２０としては、リモコン装置２１が付属しており、遠隔操作が可能であるものであれば、特に限定されないが、例えば、ＤＶＤやＣＤ等の光記録媒体の記録再生装置、テレビ受像装置、ラジオ受信装置、ビデオやカセットテープ等の磁気記録媒体の記録再生装置、ミニディスク（ＭＤ）等の光磁気記録媒体の記録再生装置等が挙げられる。
【００２９】
電子機器２０の具体例として、ＤＶＤ記録再生装置２３の正面図を図５（ａ）に示す。このＤＶＤ記録再生装置２３の表側のパネルは、上述の受光部材１０が向かって左側に設けられており、ＤＶＤメディアの取出口２４が向かって中央に、記録再生情報等を表示する表示パネル２５が向かって右側に設けられている。また、ＤＶＤ記録再生装置２３の表側のパネルには、その他に、装置の作動等に必要な電源ボタンや調整ボタン等のボタン部材２６や、必要に応じてマイクロフォンやスピーカ等の他の機器とケーブル等により接続するための接続孔が設けられている。なお、ＤＶＤ記録再生装置２３等の電子機器２０には、外部から光が届く位置に受光部材１０の入光面１１を有するように備えられていればよく、その他の構成は、特に限定されない。
【００３０】
また、図５（ａ）においては、ＤＶＤ記録再生装置２３が一つの受光部材１０を備えているのに対し、電子機器が複数の受光部材を備える態様としてもよい。具体的に、電子機器が受光部材を備える一例として、図５（ｂ）に示すように、電子機器は、受光部材１０を複数設けた受光部材群１７を備えることができる。図５（ｂ）の受光部材群１７は、四つの受光部材１０を、図示しない一点を中心として放射状に備えたものであるが、受光部材群を構成する受光部材の数および並べ方は、これに限定されない。受光部材群を構成する受光部材の並べ方は、例えば、一列または複数列に並べてもよく、ランダムな水玉模様のように配置してもよい。
【００３１】
このＤＶＤ記録再生装置２３の具体的な構成例について図６を参照しつつ説明する。
【００３２】
図６に示すように本実施形態にかかるＤＶＤ記録再生装置２３は、大別して、電子機器によって異なる構成を有している本来的機能部３１と、電子機器の種類や機種等の属性と無関係に電子機器が一律に有している遠隔制御機能部３２とから構成されている。
【００３３】
まず、本来的機能部３１は、電子機器が本来的に有する機能を実現するための要素であり、従来の電子機器と同様の構成を有している。例えば、ＤＶＤ記録再生装置２３の場合、メディアドライブに挿入されているＤＶＤメディアに対してコンテンツデータを記録し、或いは、ＤＶＤメディア内に記録されているコンテンツデータを再生する機能が本来的な機能であるといえる。かかる機能を実現するため、図６に示す例の場合、本来的機能部３１は、例えば、
（ａ）アンテナを介して受信された地上デジタル放送等の放送波を復調し、得られたデータをデコーダや再生制御部に入力するチューナ３１１と、
（ｂ）メディアドライブやチューナから入力された信号を復調し、モニタＭＮに出力するデコーダ３１２と、
（ｃ）記録再生部による制御の下、挿入されたメディアに記録されているコンテンツデータを読み出してデコーダに入力すると共に、チューナを介して受信されたデータをＤＶＤメディアに書き込むメディアドライブ３１３と、
（ｄ）再生、停止等の入力ボタンを有し、ユーザの入力操作に対応した入力信号を出力する指示入力部３１４と、
（ｅ）指示入力部および遠隔制御機能部３２からの入力信号に応じて、上記チューナやメディアドライブを制御する記録再生部３１５と
を構成要素として有している。
【００３４】
次いで、遠隔制御機能部３２は、リモコン装置２１によって送信された制御信号を受信し、その受信した制御信号に従って、本来的機能部１１を制御する。かかる機能を実現するため、本実施形態にかかるＤＶＤ記録再生装置２３の遠隔制御機能部３２は、上述した受光部材１０と赤外線受光素子２２とからなる受信部３２１と、遠隔制御部３２２と、を有している。
【００３５】
受信部３２１は、リモコン装置２１から送信された制御信号を、受光部材１０を介して赤外線受光素子２２により受信し、その受信した制御信号に含まれるデータをデータバス３３に出力する。
【００３６】
遠隔制御部３２２は、リモコン装置２１から制御信号が送信されてくると、その受信した制御信号に含まれるデータをデータバスから読み出し、このデータに基づいて、本来的機能部３１を制御する。
【００３７】
このように、各構成部材により、受光部材１０を備えたＤＶＤ記録再生装置２３等の電子機器２０が機能する。
【００３８】
以上説明したように、本実施形態の電子機器２０の受光部材１０は、光を透過させるとともに、光が入光する入光面１１と、凹型形状であり光が出光する出光面１２と、を有し、前記入光面１１の曲率半径は、前記出光面１２の曲率半径よりも大きいことを特徴とする。
【００３９】
よって、電子機器２０のリモコン装置２１から送信される制御信号である赤外線等の光は、受光部材１０の入光面１１で受光されるとともに、凹型形状である出光面１２で屈折して受光素子２２に向かって集光する。すなわち、入光面１１から入光した光は、凹型形状の出光面１２において屈折して拡がるため、内側が平坦面であった従来の受光部材よりも大きな受光角θ１を確保することができる。そのため、受光部材１０の表面積を極端に大きくせずに、かつ、受光範囲を広げた電子機器２０の受光部材１０を提供することができる。その結果、この受光部材１０を備える電子機器２０のデザインの自由度が高まり、デザイン性を向上させることができることとなる。
【００４０】
なお、このとき、従来の電子機器や受光部材に対して、リモコン装置の発光強度を強くすることや、電子機器の受光素子の感度を強くすることなく、受光部材の形状のみを変更すればよい。
【００４１】
さらに、受光部材１０は、射出成形により製造されることが好ましい。よって、従来の受光部材に対して、射出成形用の金型を変更することのみにより、特殊な機材等を必要とせず、受光部材１０を簡便に製造することができる。
【図面の簡単な説明】
【００４２】
【図１】従来の受光部材が備えられた電子機器の一部を示す部分断面概略図である。
【図２】実施形態における電子機器の受光部材を示す上面図である。
【図３】図２に記載の受光部材のＡ−Ａ断面図である。
【図４】実施形態における受光部材の一部を示す部分断面概略図である。
【図５】実施形態における電子機器がＤＶＤ記録再生装置である場合の一例を示す正面図および複数の受光部材を備えた電子機器の一部を示す図である。
【図６】実施形態における電子機器がＤＶＤ記録再生装置である場合の構成例を示すブロック図である。
【符号の説明】
【００４３】
１０、１０ａ、１０ｂ…受光部材
１１…平坦面（入光面、電子機器の表面側の面）
１１ａ…凹型形状の面（入光面、電子機器の表面側の面）
１１ｂ…凸型形状の面（入光面、電子機器の表面側の面）
１２…凹型面（出光面、電子機器の内側の面）
１３…筒状面
１４…環状面
２０…電子機器
２１、５６…リモコン装置
２２、５７…検知部材（赤外線受光素子）
２３…光記録媒体（ＤＶＤ）の記録再生装置
２４…ＤＶＤメディアの取出口
２５…表示パネル
２６…ボタン部材
５０…従来の受光部材
５５…従来の電子機器
θ１、θ２…受光角
【図１】
2005217324.tif 000003
【図２】
2005217324.tif 000004
【図３】
2005217324.tif 000005
【図４】
2005217324.tif 000006
【図５】
2005217324.tif 000007
【図６】
2005217324.tif 000008